(57)【特許請求の範囲】
【請求項１】
遊技盤に搭載されて遊技球が入賞可能なパチンコ遊技機の入賞装置であって、
立体物とミラーとを有して、
前記立体物と前記ミラーとにより仮想浮遊体を構成し、
前記立体物は、遊技球を前記立体物の内部へと案内する案内通路と遊技球を前記立体物の外部へと排出する排出通路が設けられ、
前記案内通路は、内部を通過する遊技球を遊技者が視認可能に構成され、
前記排出通路は、存在自体を遊技者が視認不能に構成されることを特徴とするパチンコ遊技機の入賞装置。
【発明の詳細な説明】
【技術分野】
【０００１】
本発明は、パチンコ遊技機の入賞装置の技術に関する。
【背景技術】
【０００２】
従来、装飾性（演出性）を備えたパチンコ遊技機の入賞装置の技術は公知となっている。例えば、特許文献１及び２に記載の如くである。
【０００３】
特許文献１に記載の技術では、入賞装置の前壁部が透過性を有する部材により形成される。これによって、入賞装置は、入賞した遊技球の動きを遊技者に視認させるような装飾性（演出性）を備える。また、前記前壁部に透過性を有する装飾シールが貼付されると共に、当該前壁部の後方に配設された後壁部が反射性を有する部材により形成される。これによって、入賞装置は、装飾シールに描かれた装飾が後壁部に映し出されて、当該装飾シール及び前壁部を通して当該後壁部に映し出された装飾を遊技者に視認させるような装飾性（演出性）を備える。
【０００４】
特許文献２に記載の技術では、入賞装置は、遊技盤に取り付けられるベース部と、当該ベース部の前記遊技盤側にて当該ベース部と重合される導光部と、発光素子が実装された発光部と、を備える。前記ベース部及び前記導光部は、透光性を有する部材により形成される。これによって、入賞装置は、発光素子からの光が発光部から導光部に沿って拡散されると共に、当該導光部及びベース部を通して前方へ向けて透過して遊技者に視認させるような装飾性（演出性）を備える。
【先行技術文献】
【特許文献】
【０００５】
【特許文献１】特開２００６−５５２９２号公報
【特許文献２】特開２００６−１７５０６４号公報
【発明の概要】
【発明が解決しようとする課題】
【０００６】
本発明が解決しようとする課題は、従来の入賞装置では実現し得なかった斬新な装飾性（演出性）を備えたパチンコ遊技機の入賞装置を提供する。
【課題を解決するための手段】
【０００７】
本発明の解決しようとする課題は以上の如くであり、次にこの課題を解決するための手段を説明する。
【０００８】
即ち、請求項１においては、遊技盤に搭載されて遊技球が入賞可能なパチンコ遊技機の入賞装置であって、立体物とミラーとを有して、前記立体物と前記ミラーとにより仮想浮遊体を構成し、前記立体物は、遊技球を前記立体物の内部へと案内する案内通路と遊技球を前記立体物の外部へと排出する排出通路が設けられ、前記案内通路は、内部を通過する遊技球を遊技者が視認可能に構成され、前記排出通路は、存在自体を遊技者が視認不能に構成されるものである。
【発明の効果】
【０００９】
本発明の効果として、以下に示すような効果を奏する。
【００１０】
請求項１において、パチンコ遊技機の入賞装置は、斬新な装飾性（演出性）を備えることができる。
【図面の簡単な説明】
【００１１】
【図１】本発明の一実施形態に係る中央入賞装置を備えるパチンコ遊技機の全体的な構成を示した正面図。
【図２】同じく、パチンコ遊技機の窓枠が開放された状態を示した前方斜視図。
【図３】同じく、遊技盤を示した正面図。
【図４】中央入賞装置を示した前方斜視図。
【図５】同じく、正面図。
【図６】同じく、平面図。
【図７】上部の図示を省略した中央入賞装置の前方斜視図。
【図８】同じく、平面図。
【図９】図６におけるＡ−Ａ断面図。
【図１０】仮想浮遊体を示した前方斜視図。
【図１１】同じく、正面図。
【図１２】同じく、平面図。
【図１３】（ａ）遊技球の入賞の様子を示した中央入賞装置の側面断面図。（ｂ）同じく、正面図。
【図１４】本発明の他の実施形態に係る中央入賞装置を示した平面図。
【発明を実施するための形態】
【００１２】
まず、本発明に係るパチンコ遊技機の一実施形態であるパチンコ遊技機１の全体的な構成について、図１から図３を用いて説明する。
なお、以下の説明では、パチンコ遊技機１を遊技者から見て、手前側をパチンコ遊技機１の前側とし、奥側をパチンコ遊技機１の後側として、前後方向を規定する。また、パチンコ遊技機１を遊技者から見て、左手側をパチンコ遊技機１の左側とし、右手側をパチンコ遊技機１の右側として、左右方向を規定する。
【００１３】
パチンコ遊技機１は、図１から図３が示すように、主として、外枠２と、中枠３と、窓枠４と、により構成される枠体に、各種の遊技部品が取り付けられて形成される。
【００１４】
外枠２は、パチンコ遊技機１の外郭を成し、前後面が開口された略四角筒状に形成される枠体である。外枠２は、パチンコホール等の遊技場に設けられた台島に設置される。外枠２には、中枠３が設けられる。
【００１５】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１６】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１７】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１８】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１９】
次に、遊技盤６の構成について、図３を用いてさらに詳細に説明する。
【００２０】
遊技盤６は、図３に示すように、遊技板１０と、ガイドレール１１と、センター役物１２と、図柄表示装置１３と、右入賞装置１４と、大入賞装置１５と、アウト口１６と、中央入賞装置１００等により構成される。
【００２１】
遊技板１０は、四隅が適宜に切り欠けられた略平板状に形成される部材である。遊技板１０には、遊技盤６を構成する各種の遊技部品が取り付けられる。
【００２２】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２３】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２４】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２５】
右入賞装置１４は、所定の作動条件に応じて左右一対の可動片２８が開閉作動し、右始動入賞口１４ａに遊技球が入賞可能な開放状態と入賞不能な閉塞状態とに切り替え可能に構成される装置である。右入賞装置１４は、遊技領域２５の右部であってセンター役物１２の下方に配置される。なお、右入賞装置１４は、前記開放状態において右始動入賞口１４ａに遊技球が入賞すると図示せぬ賞球払出装置によって所定数の遊技球（賞球）が払い出されるように構成される。
【００２６】
大入賞装置１５は、所定の大当たり抽選により大当たりが選択されると、大入賞口１５ａを開放して遊技球が入賞可能に構成される装置である。大入賞装置１５は、遊技領域２５の右下部であって右入賞装置１４の左下方に配置される。なお、大入賞装置１５は、開放した大入賞口１５ａに遊技球が入賞すると図示せぬ賞球払出装置によって所定数の遊技球（賞球）が払い出されるように構成される。
【００２７】
アウト口１６は、遊技領域２５を転動する遊技球が、大入賞口１５ａや右始動入賞口１４ａ等の各入賞口に入賞しなかった場合に、最終的に流入する開口部である。アウト口１６は、遊技領域２５の最下部に配置される。なお、アウト口１６に流入した遊技球は、パチンコ遊技機１が設置されたパチンコホール等の遊技場側に回収される。
【００２８】
中央入賞装置１００は、中央始動入賞口１００ａに遊技球が入賞可能に構成される装置である。中央入賞装置１００は、遊技領域２５の中央下部であってアウト口１６の上方に配置される。なお、中央入賞装置１００は、中央始動入賞口１００ａに遊技球が入賞すると図示せぬ賞球払出装置によって所定数の遊技球（賞球）が払い出されるように構成される装置である。
【００２９】
次に、中央入賞装置１００の構成について詳細に説明する。
【００３０】
なお、図７及び図８においては、説明の便宜上、後述する取付基板１１０、ゲート部材１２０及び収容部材１３０の上面１３１の図示を省略している。
【００３１】
図３から図９までに示す中央入賞装置１００は、主として、取付基板１１０と、ゲート部材１２０と、収容部材１３０と、装飾部材１４０と、筒部材１５０と、誘導樋１６０と、により構成される。
【００３２】
図４から図６まで、及び図９に示す取付基板１１０は、中央入賞装置１００を構成する他の部材が取り付けられるものである。取付基板１１０は、略矩形板状に形成され、その板面を前後方向に向けて配置される。取付基板１１０の中央下部には、当該取付基板１１０を前後方向に貫通する略矩形状の貫通孔１１０ａ（図９参照）が形成される。
【００３３】
ゲート部材１２０は、遊技球を下方に配置された中央始動入賞口１００ａへと案内するものである。ゲート部材１２０は、後方が開放された平面視略Ｕ字状に形成される。ゲート部材１２０の後端は、取付基板１１０の左右中央部であって上部（貫通孔１１０ａの上方）に固定される。ゲート部材１２０及び取付基板１１０によって囲まれる空間が、遊技球を案内するための通路となる。
【００３４】
図４から図９までに示す収容部材１３０は、後述する装飾部材１４０を収容するものである。収容部材１３０は、主として、上面１３１と、底面１３２と、左側面１３３と、右側面１３４と、左背面１３５と、右背面１３６と、によって、前方が開放された略箱状に構成される。
【００３５】
上面１３１及び底面１３２は、その板面を上下方向に向けて互いに対向するように形成される。上面１３１の略中央部には、当該上面１３１を上下方向に貫通する円形状の貫通孔１３１ａが形成される。
【００３６】
左側面１３３及び右側面１３４は、その板面を左右方向に向けて互いに対向するように形成される。
【００３７】
左背面１３５は、本発明に係るミラーの実施の一形態である。左背面１３５は、その板面を左斜め前方及び右斜め後方に向けて形成される。より詳細には、左背面１３５は、左側面１３３の後端部から、右斜め前方に向けて延設される。この際、平面視において左側面１３３と左背面１３５とが成す角は４５度となるように設定される。左背面１３５の前側面（収容部材１３０の内側の側面）には鏡面シートが貼付される等して、鏡面が形成される。
【００３８】
右背面１３６は、本発明に係るミラーの実施の一形態である。右背面１３６は、その板面を右斜め前方及び左斜め後方に向けて形成される。より詳細には、右背面１３６は、右側面１３４の後端部から、左斜め前方に向けて延設される。この際、平面視において右側面１３４と右背面１３６とが成す角は４５度となるように設定される。右背面１３６の前側面（収容部材１３０の内側の側面）には鏡面シートが貼付される等して、鏡面が形成される。
【００３９】
上述の上面１３１、底面１３２、左側面１３３及び右側面１３４により構成された矩形断面を有する筒状部分の後端部を、左背面１３５及び右背面１３６により閉塞することで、前方が開放された略箱状の収容部材１３０が構成される。収容部材１３０は、取付基板１１０の貫通孔１１０ａに挿通された状態で当該取付基板１１０に固定される。この際、取付基板１１０の前側面と、収容部材１３０の上面１３１に形成された貫通孔１３１ａの後端部とが、前後方向において略一致するように設定される（図６及び図９参照）。
【００４０】
上述の如く構成された収容部材１３０においては、当該収容部材１３０の開放側（前方）から進入する光が左背面１３５又は右背面１３６において反射され、再び収容部材１３０の開放側から放出されることがないように、上面１３１、底面１３２、左側面１３３及び右側面１３４の前端部の位置が設定される（図８の矢印参照）。これによって、遊技者側（前方）から収容部材１３０を見ると、左背面１３５及び右背面１３６の鏡面には外部の景色が映されることなく、収容部材１３０の内壁（例えば、左側面１３３及び右側面１３４の内側面）のみが映されることになる。
【００４１】
装飾部材１４０は、本発明に係る立体物の実施の一形態であり、月の形態を模したものである。装飾部材１４０は、球状の部材の後部を、平面視（図８参照）扇形に切り欠いて形成される。この際、当該切り欠いた部分の扇形の中心角は、収容部材１３０の左背面１３５と右背面１３６とが成す角と同一角度（９０度）となるように設定される。装飾部材１４０は、前述の切り欠いた部分を収容部材１３０の左背面１３５及び右背面１３６に当接させた状態で、当該左背面１３５及び右背面１３６に固定される。この際、装飾部材１４０の上下方向位置は、収容部材１３０の上面１３１と底面１３２との略中間部分となるように設定される。また、平面視における装飾部材１４０と左背面１３５及び右背面１３６との当接部分では、当該左背面１３５及び右背面１３６は装飾部材１４０の接線（平面視において装飾部材１４０が円形であるとした場合の接線）に対して垂直となるように配置される。
【００４２】
前述の装飾部材１４０の切り欠いた部分には、さらに当該部分を切り欠いて連通溝１４０ａ（図９参照）が形成される。当該連通溝１４０ａは略円形断面となるように形成され、装飾部材１４０の上端部から当該装飾部材１４０の上下中途部まで形成される。
【００４３】
筒部材１５０は、遊技球を案内するものである。筒部材１５０は透過性を有する部材で構成される円形断面を有する筒状の部材である。筒部材１５０の一端（上端）は収容部材１３０の上面１３１に形成された貫通孔１３１ａに、他端（下端）は装飾部材１４０に形成された連通溝１４０ａにそれぞれ挿通され、当該貫通孔１３１ａと連通溝１４０ａとを連通するように配置される。
【００４４】
上述の装飾部材１４０の連通溝１４０ａによって、中央入賞装置１００の中央始動入賞口１００ａが構成される。
【００４５】
図９に示す誘導樋１６０は、中央始動入賞口１００ａに入賞した遊技球を、遊技盤６の後側面に取り付けられた裏樋（不図示）へ向けて誘導するものである。誘導樋１６０の一端（前端）は、装飾部材１４０に形成される連通溝１４０ａの下端部と対向する位置において、収容部材１３０の後部（左背面１３５及び右背面１３６）に固定される。誘導樋１６０の他端（後端）は、後下方に延設され、前記裏樋と連通される。
【００４６】
なお、説明の便宜上、図９及び図１３（ａ）以外の図面においては、誘導樋１６０の図示を省略している。
【００４７】
上述の如く構成された中央入賞装置１００は、図９に示すように、遊技板１０を前後方向に貫通するように形成された貫通孔１０ａに前方から収容部材１３０の後端部を挿入されるとともに、取付基板１１０を当該遊技板１０の前面に当接させた状態で固定することで、遊技盤６に搭載される。
【００４８】
次に、図１０から図１２までを用いて、上述の如く構成された中央入賞装置１００を遊技者側（前方）から視認した場合の見え方について説明する。
【００４９】
なお、図１０及び図１２においては、説明の便宜上、取付基板１１０、ゲート部材１２０及び収容部材１３０の上面１３１の図示を省略している。
【００５０】
上述の如く構成された中央入賞装置１００を遊技者側（前方）から視認した場合、前述の如く収容部材１３０の左背面１３５及び右背面１３６には収容部材１３０の内壁のみが映される。この際、左背面１３５及び右背面１３６はそれぞれ左側面１３３及び右側面１３４に対して４５度の角度を成すように設定されているため、図１０から図１２までに示すように、遊技者からはあたかも左側面１３３及び右側面１３４に対して垂直に配置された背面（仮想背面１３７）が存在するかのように視認される。
【００５１】
また、前述の如く左背面１３５及び右背面１３６は、平面視において装飾部材１４０の接線に対して垂直となるように配置されているため、遊技者からはあたかも球状の装飾部材（仮想浮遊体１４１）が収容部材１３０の内部において空中に浮遊しているかのように視認される。
【００５２】
また、前述の如く筒部材１５０を透過性を有する部材で構成しているため、遊技者からは当該筒部材１５０を視認し難くすることができ、遊技者の注意を仮想浮遊体１４１に向けることができる。
【００５３】
次に、図１３を用いて、上述の如く構成された中央入賞装置１００の中央始動入賞口１００ａに遊技球２００が入賞する際の様子について説明する。
【００５４】
遊技領域２５（図３参照）を転動してきた遊技球２００がゲート部材１２０に入ると、当該遊技球２００は当該ゲート部材１２０によって真下に落下するように案内される。当該案内された遊技球２００は、筒部材１５０（収容部材１３０の上面１３１に形成された貫通孔１３１ａ）に入る。当該遊技球２００は筒部材１５０内を下方へと落下する。この際、筒部材１５０は透過性を有するため、遊技者からは当該筒部材１５０内を落下する遊技球２００を視認することができる。
【００５５】
筒部材１５０内を落下した遊技球２００は、装飾部材１４０（連通溝１４０ａ）内へと落下し、当該装飾部材１４０の連通溝１４０ａ及び誘導樋１６０を介して前記裏樋へと誘導され、当該裏樋から回収領域へと案内されることになる。
【００５６】
この際、遊技者側からは装飾部材１４０（連通溝１４０ａ）から誘導樋１６０を介して前記回収領域へと案内される遊技球２００を視認することはできない。すなわち、遊技者からは、収容部材１３０内に浮遊する仮想浮遊体１４１に次々と遊技球２００が飛び込んでいくものの、当該仮想浮遊体１４１から遊技球２００が出てくることがないように視認される。したがって、当該遊技者に、仮想浮遊体１４１が無限に遊技球２００を収容するかのような印象を与えることができる。このようにして、中央入賞装置１００は、斬新な装飾性（演出性）を備えることができる。
【００５７】
以上の如く、本実施形態に係るパチンコ遊技機１の中央入賞装置１００（入賞装置）は、
遊技盤６に搭載されて遊技球２００が入賞可能なパチンコ遊技機１の中央入賞装置１００であって、
装飾部材１４０（立体物）と左背面１３５及び右背面１３６（ミラー）とを有して、
入賞する遊技球２００が装飾部材１４０と左背面１３５及び右背面１３６とにより構成される仮想浮遊体１４１に飛び込むように見えるようにしたことを特徴とするものである。
【００５８】
このように構成することにより、パチンコ遊技機１の中央入賞装置１００は、斬新な装飾性（演出性）を備えることができる。
【００５９】
なお、本実施形態においては、左側面１３３と左背面１３５とが成す角及び右側面１３４と右背面１３６とが成す角は、それぞれ４５度に設定するものとしたが、本発明はこれに限るものではなく、収容部材１３０の開放側（前方）から進入する光が左背面１３５又は右背面１３６において反射され、再び収容部材１３０の開放側から放出されることがないような構成であれば良い。
また、収容部材１３０の各面（上面１３１、底面１３２、左側面１３３、右側面１３４、左背面１３５及び右背面１３６）は一体的に構成されても、別体（別部材）で構成されても良い。
また、本実施形態においては、装飾部材１４０（立体物）は月の形態を模したものとしたが、本発明はこれに限るものではなく、他の形態を模した立体物であっても良い。
また、本実施形態においては、中央入賞装置１００を本発明に係る入賞装置の一実施形態として説明したが、本発明はこれに限るものではなく、その他の入賞装置（例えば、右入賞装置１４等）に適用することも可能である。
【００６０】
また、本実施形態においては、図８に示すように左背面１３５及び右背面１３６（ミラー）によって左右中央側が前方に突出するような背面を形成するものとしたが、本発明はこれに限るものではなく、図１４に示すように左背面１３５及び右背面１３６（ミラー）によって左右中央側が後方に突出するような面を形成しても良い。
【符号の説明】
【００６１】
１：パチンコ遊技機，６：遊技盤，１００：中央入賞装置，１１０：取付基板，１２０：ゲート部材，１３０：収容部材，１３５：左背面，１３６：右背面，１４０：装飾部材，１４１：仮想浮遊体，１５０：筒部材，１６０：誘導樋
【図１】
0005482732.tif 000002
【図２】
0005482732.tif 000003
【図３】
0005482732.tif 000004
【図４】
0005482732.tif 000005
【図５】
0005482732.tif 000006
【図６】
0005482732.tif 000007
【図７】
0005482732.tif 000008
【図８】
0005482732.tif 000009
【図９】
0005482732.tif 000010
【図１０】
0005482732.tif 000011
【図１１】
0005482732.tif 000012
【図１２】
0005482732.tif 000013
【図１３】
0005482732.tif 000014
【図１４】
0005482732.tif 000015